(57)【要約】【課題】プッシュ・プッシュ式カード排出機構の利点（優れた使い勝手と円滑な排出感）を損なうことなく、小型化を達成し得るカードコネクタを提供する。【解決手段】ハウジング４と、ハウジング４を覆うカバー８、９と、この両者によってカード３の挿抜のための挿抜口５と同カード３の収容部６を形成すると共に、カード３を挿入方向に押し込んでそれを収容部６に装填し且つその状態からもう一度カード３を押し込むと同カード３が排出されるプッシュ・プッシュ機構１０とを設けたカードコネクタ１であって、プッシュ・プッシュ機構１０を収容部６に収容されたカード３の投影面内に配置した。【選択図】図１
2007200792.tif 000002
【特許請求の範囲】
【請求項１】
ハウジングと、該ハウジングを覆うカバーと、この両者によってカードの挿抜のための挿抜口と同カードの収容部を形成すると共に、カードを挿入方向に押し込んでそれを該収容部に装填し且つその状態からもう一度カードを押し込むと同カードが排出されるプッシュ・プッシュ機構とを設けたカードコネクタであって、
上記プッシュ・プッシュ機構を上記収容部に収容されたカードの投影面内に配置したことを特徴とするカードコネクタ。
【請求項２】
上記プッシュ・プッシュ機構は、
上記ハウジングに形成されたハートカム溝と、
該ハートカム溝の上方に配置されてカードの挿抜方向に移動可能であり、且つ上記挿抜口から挿入されたカードの先端が当接する当接部を有するスライダと、
該スライダに支承されて上記ハートカム溝に係合された溝係合部材と、
上記スライダをカード排出方向に付勢するリターンスプリングとを備え、
上記スライダは、可撓性を有する薄い金属板からなる片持梁状の舌片を有し、
該舌片に上記溝係合部材を支承し、
該溝係合部材を上記舌片のバネ力によって上記ハートカム溝の底に押し付けるようにした請求項１記載のカードコネクタ。
【請求項３】
上記ハウジングに、上記収容部に収容されたカードの表面に対向させて、上記スライダが収容される第１凹部を設け、
該第１凹部の中に第２凹部を形成し、該第２凹部の底に上記ハートカム溝を形成した請求項２記載のカードコネクタ。
【請求項４】
上記ハウジングに、上記収容部に収容されたカードの投影面内に位置させて、第３凹部を設け、
該第３凹部に、上記スライダの移動に伴って作動されるストッパレバーを設け、
該ストッパレバーは、上記スライダがカードの挿入に伴って移動されてカード挿入方向奥側に保持されたとき挿入されたカードの後端に対向し、かかるスライダがカード排出方向に移動されるとカードの後端から離間するフック部を有するものである請求項２又は３記載のカードコネクタ。
【発明の詳細な説明】
【技術分野】
【０００１】
本発明は、一度カードを押し込んでカードを装填し、その状態からもう一度カードを押し込んでカードを排出させるプッシュ・プッシュ式のカード装填・排出機構（プッシュ・プッシュ機構）を備えたカードコネクタに係り、特に、小型化を図った同カードコネクタに関する。
【背景技術】
【０００２】
近年、様々な用途に種々の形式のカードが広く用いられており、その中の一つであってカードの表面に接点が露出された接触式カードが周知である。このカードは、カードコネクタに挿入されることで、上記接点が同コネクタの端子に圧接され、両者が電気的に接続されるようになっている。従って、カードの使用に当たってはカードをカードコネクタに挿入し、且つ使用後はカードを同コネクタから排出する必要がある。
【０００３】
カードをカードコネクタに円滑に装填・排出するための機構としては、例えば特許文献１に示されたようなプッシュ・プッシュ式と、特許文献２に示されたようなエジェクト釦式の二種が、知られている。
【０００４】
前者のプッシュ・プッシュ式は、カードコネクタに所謂ハートカム機構が内蔵されており、そこにカードが押し込まれる（プッシュされる）と、上記カム機構のキャッチ機能によってカードが一旦同コネクタの内部に保持され、その状態からもう一度カードがプッシュされると同キャッチ機能が解除され、リターンスプリングによってカードが同コネクタから排出されるようになっている。
【０００５】
一方、後者のエジェクト釦式は、リンク機構を設けており、カードを同コネクタに挿入すると、該リンク機構が作動しエジェクト釦を外側に突出させ、カード使用後、該エジェクト釦を押込むと、上記リンク機構を介してカードが押し返されて排出されるようになっている。
【０００６】
そして前者は、カードの挿入動作（プッシュ）と排出動作（プッシュ）が同じであるから、極めてスマートで円滑な挿入・排出感が得られ、また後者はリンクによる高い作動信頼感が得られ、共に優れたカード装填・排出機構と言える。
【０００７】
【特許文献１】特開２００３−２１７７３８号公報
【特許文献２】特開平１０−１２５４０２号公報
【発明の開示】
【発明が解決しようとする課題】
【０００８】
ところで、従来のプッシュ・プッシュ式カードコネクタにあっては、同コネクタの側部に上記ハートカム機構を含む装填・排出機構が設けられているため（特許文献１の図２参照）、コネクタの幅が増大してしまい、その小型化、薄型化に応じ難い。
【０００９】
同様に、エジェクト釦式カードコネクタにあっても、同コネクタの側部にエジェクト機構を備え、且つカード挿入方向の終端部に前記リンク機構を内蔵していているため（特許文献２の図１参照）、コネクタの幅並びに長さが増大してしまい、その小型化、薄型化が難しい。
【００１０】
なお、カードコネクタは、電子機器の小型化、薄型化のニーズに伴ってますます小型化、薄型化が迫られており、コネクタの終端部にリンク機構を有しない分、またカードの排出がリターンスプリングによって行なわれる分、プッシュ・プッシュ式の方がエジェクト釦式よりも小型化に有利で且つ使い勝手が優れていると言える。
【００１１】
本発明はこれらの点に鑑みて成されたものであり、その目的は、プッシュ・プッシュ式の上記利点を損なうことなく、小型化を達成し得るカードコネクタを提供することにある。
【課題を解決するための手段】
【００１２】
上記目的を達成するため本発明に係るカードコネクタは、ハウジングと、該ハウジングを覆うカバーと、この両者によってカードの挿抜のための挿抜口と同カードの収容部を形成すると共に、カードを挿入方向に押し込んでそれを該収容部に装填し且つその状態からもう一度カードを押し込むと同カードが排出されるプッシュ・プッシュ機構とを設けたカードコネクタであって、上記プッシュ・プッシュ機構を上記収容部に収容されたカードの投影面内に配置したものである。
【００１３】
上記プッシュ・プッシュ機構は、上記ハウジングに形成されたハートカム溝と、該ハートカム溝の上方に配置されてカードの挿抜方向に移動可能であり、且つ上記挿抜口から挿入されたカードの先端が当接する当接部を有するスライダと、該スライダに支承されて上記ハートカム溝に係合された溝係合部材と、上記スライダをカード排出方向に付勢するリターンスプリングとを備え、上記スライダは、可撓性を有する薄い金属板からなる片持梁状の舌片を有し、該舌片に上記溝係合部材を支承し、該溝係合部材を上記舌片のバネ力によって上記ハートカム溝の底に押し付けるようにしてもよい。
【００１４】
上記ハウジングに、上記収容部に収容されたカードの表面に対向させて、上記スライダが収容される第１凹部を設け、該第１凹部の中に第２凹部を形成し、該第２凹部の底に上記ハートカム溝を形成してもよい。
【００１５】
上記ハウジングに、上記収容部に収容されたカードの投影面内に位置させて、第３凹部を設け、該第３凹部に、上記スライダの移動に伴って作動されるストッパレバーを設け、該ストッパレバーは、上記スライダがカードの挿入に伴って移動されてカード挿入方向奥側に保持されたとき挿入されたカードの後端に対向し、かかるスライダがカード排出方向に移動されるとカードの後端から離間するフック部を有するものであってもよい。
【発明の効果】
【００１６】
本発明に係るカードコネクタによれば、プッシュ・プッシュ機構が同コネクタ内に収容されたカードの投影面内に配置されているため、その利点（優れた使い勝手と円滑な排出感）を損なうことなく、小型化を達成し得る。
【発明を実施するための最良の形態】
【００１７】
本発明の好適実施形態を添付図面を用いて説明する。
【００１８】
図１に示すように、本実施形態に係るカードコネクタ１は、下面に接点２が露出されたカード３が挿抜されるものであり、ハウジング４と、カード３を挿入・排出するために形成された挿抜口５と、挿抜口５から挿入されたカード３を収容するための収容部６と、収容部６に収容されたカード３の接点２と接触する端子７と、ハウジング４を覆う如き配された第１及び第２カバー８、９と、プッシュ・プッシュ機構１０とを備えている。
【００１９】
より詳細に説明するに、図１及び図２に示すように、ハウジング４は、カード３の幅方向に間隔を隔ててカード挿入方向に沿って平行に延出された一対の縦枠１１と、縦枠１１間に架け渡すように配置され且つ第１カバー８と共同して挿抜口５を形成する横枠１２と、縦枠１１間に配置されていて端子７が植設される第１基部１３と、第１基部１３と共同して縦枠１１間に架け渡すように配置されると共にプッシュ・プッシュ機構１０が設けられる第２基部１４とから成り、ポリフェニレンサルファイド等の合成樹脂をモールド成形して製造されている。
【００２０】
縦枠１１には、カード３をガイドするために断面コ字状のカードガイド１５が設けられ、第１基部１３には、軽量化及び剛性保持のためのリブ１６並び薄肉部１７が設けられ、縦枠１１と横枠１２と第１及び第２基部１３、１４とで区画された部分には、軽量化のため肉抜き部１８が形成されている。また、第１及び第２基部１３、１４は、カード３が収容部６に収容されたとき、そのカード３の投影面内に略収まるように配置されている。
【００２１】
ハウジング４は、最厚部位の厚さが４．０ｍｍ程度の薄型に形成されており、挿抜口５の幅と高さ（厚さ）は、挿入されるカード３の幅と厚さ（高さ）に対応させてある。例えば、メモリースティック（登録商標）と呼ばれるカードは、厚さ２．８ｍｍ、幅２１．５ｍｍ、奥行き（長さ）５０ｍｍ、ＩＣカードと呼ばれるものは、厚さ０．７６ｍｍ、幅５４ｍｍ、奥行き（長さ）８５．６ｍｍの如く、夫々規格によってサイズが定められている。
【００２２】
プッシュ・プッシュ機構１０は、挿抜口５から挿入されたカード３を奥の方まで押し込むとカード３が装填され、その状態からもう一度カード３を同方向に押し込むとカード３が排出されるもので、第２基部１４に形成されたハートカム溝１９と、ハートカム溝１９の上方に配置されてカード３の挿抜方向に移動可能で且つ挿入されたカード３の先端が当接する当接部２０を有するスライダ２１と、スライダ２１に支承されてハートカム溝１９に係合された溝係合部材２２と、スライダ２１をカード排出方向に付勢するリターンスプリング２３とを備えている。なお、２４はスライダ２１の移動に伴って作動されるストッパレバー２４で、装填されたカード３に係合してその抜けを防止するためのものである。
【００２３】
ハウジング４には、収容部６に収容されたカード３の表面に対向させて、スライダ２１が収容される第１凹部８０が凹設され、第１凹部８０の中に矩形状の第２凹部２６が凹設され、第２凹部２６の底にハートカム溝１９が形成されている。すなわち、ハートカム溝１９は、スライダ２１が摺動する第２基部１４の摺動面２５に形成された第２凹部２６の底に設けられており、例えば第２基部１４の摺動面２５の部分の厚さ１．７ｍｍ、摺動面２５から第２凹部２６の底までの深さ０．７ｍｍ、カム溝１９の幅０．５ｍｍ、同深さ０．６〜０．３ｍｍ（後述する如く段差やスロープがあって深さは均一ではない）、同カム溝１９における第２基部１４の残存厚さ０．４〜０．７ｍｍとなっており、また第２凹部２６の幅・長さは各々２．０ｍｍ、２８ｍｍとなっている。よって、斯様な第２凹部２６やカム溝１９を設けることによってハウジング４の剛性が減じられることはなく、且つ、このような第２凹部２６やカム溝１９を設けるために同ハウジング４の肉厚を増さなければならないようなこともない。
【００２４】
図３に示すように、ハートカム溝１９は、上記第２凹部２６にカード挿抜方向に沿って直線状に形成された往路２７と、往路２７に斜路２８を介して接続された第１突当り路２９と、第１突当り路２９に斜路２８を介して接続された保持路３０と、保持路３０に斜路３１を介して接続された第２突当り路３２と、第２突当り路３２と往路２７とを接続する復路３３とから構成されている。そして、これら路２７〜３３に囲まれた部分が略ハート型のランド３４となっている。
【００２５】
往路２７と斜路２８との間には、往路２７より斜路２８が低くなるように段差３５が設けられ、斜路２８と保持路３０との間には、斜路２８より保持路３０が低くなるように段差３６が設けられ、保持路３０と斜路３１との間には、保持路３０より斜路３１が低くなるように段差３７が設けられ、復路３３と往路２７との間には、往路２７が復路３３より低くなるように段差３８が設けられている。上記段差３５〜３８を形成するため、往路２７の復路３３との接続部Ｂから斜路２８との接続部Ｃまでの部分には、登りスロープが形成され、また、復路３３の斜路３１との接続部から段差３８までの部分にも、登りスロープが形成されている。
【００２６】
図１及び図２に示すように、スライダ２１は、例えば０．３ｍｍ程度の極薄いステンレス等の金属板をプレスによって成形したもので、挿入されたカード３の先端が当接し得るように断面Ｌ字型に折り曲げられた当接部２０と、周囲を切り取ることで片持梁状に形成された舌片３９と、一端がハウジング４に固定されたリターンスプリング２３（引っ張りバネ）の他端を係止する係止部４０と、ストッパレバー２４の被ガイド部４１に係合すべくスリット状に形成されたガイド部４２とを有する。また、スライダ２１は、第２基部１４に形成された前記摺動面２５を底部とする第１凹部８０に収容され、第２基部１４に設けたスライダガイド４３によってそこから外れないようになっている。
【００２７】
リターンスプリング２３は、第２基部１４に形成されたスリット８２に収容されている。スリット８２は、収容部６に収容されたカード３の投影面内に配置されている。なお、スリット８２を凹部としてもよい。そして、スライダ２１の舌片３９には、ハートカム溝１９に係合される溝係合部材２２が支承されている。
【００２８】
図４に示すように、溝係合部材２２は、舌片３９を貫通した穴４４に挿通されたクランク状のピンから成り、上部水平部４５と穴貫通部４６と下部水平部４７と溝係合部４８とを有し、溝係合部４８がハートカム溝１９に係合されている。これにより、スライダ２１がカード挿抜方向に移動されると、溝係合部４８がハートカム溝１９に沿って移動することができる。このとき、図３に示す上記カム溝１９の往路２７と復路３３との間には幅方向の隔たりがあるが、溝係合部材２２の穴貫通部４６が穴４４の中で矢印方向に回動することによってこれを吸収し、そこに追従することができる。
【００２９】
図２に戻って、スライダ２１に形成されたガイド部４２は、カード挿抜方向に直線的に形成された第１スリット４９と、第１スリット４９に繋げて上記挿抜方向に対して斜めに形成された第２スリット５０と、第２スリット５０に繋げて上記挿抜方向に形成された第３スリット５１とから成る。第１スリット４９には、スライダ２１がリターンスプリング２３によってカード排出方向に引き寄せられた状態（図２の状態）のとき、ハウジング４にカード挿抜方向に沿って設けられたレール５２の一部が係合されると共に、ストッパレバー２４の一端に折り曲げられて形成された被ガイド部４１が係合される。そして、この状態からスライダ２１がカードによってスプリング２３のばね力に抗して挿入方向に移動されると、レール５２の殆ど全ての部分が第１スリット４９に係合し、被ガイド部４１が第２スリット５０を介して第３スリット５１に係合されるようになっている。
【００３０】
ストッパレバー２４は、例えば厚さ０．４ｍｍのステンレス板をプレス成形して製造され、一端にフック部５３と、他端に被ガイド部４１と、これらの間にハウジング４に軸支された支点部５４を有する。また、ストッパレバー２４は、スライダ２１の下に配設し得る様、前記第１凹部８０よりさらに下がる如く、第２基部１４に形成された第３凹部８１に、支点部５４を中心として回動可能に収容されている。第３凹部８１は、収容部６に収容されたカード３の投影面内に配置されている。
【００３１】
カード３の挿入に伴ってスライダ２１が移動されると、被ガイド部４１が第１スリット４９から第２スリット５０を介して第３スリット５１と係合するようになり、ストッパレバー２４が支点部５４廻りに反時計方向に回動してフック部５３がカード３の後端に対向し、その抜けを防止する。そしてこのカード３を抜き取るべく、前記プッシュ・プッシュ機構１０を働かせ、スライダ２１がカード排出方向に移動されると、第３スリット５１内の被ガイド部４１が第２スリット５０を介して第１スリット４９と係合するようになることで、ストッパレバー２４が逆方向に回動してフック部５３がカード３の後端から側方に離間するようになっている。
【００３２】
図２に示すように、ハウジング４には、スライダ２１のカード排出方向の移動位置を制限するストッパ５５、カード３の挿入方向の移動位置を制限するストッパ５６が設けられ、更に、スライダ２１のカード挿入方向の端部に位置させてスイッチ５７が設けられている。スイッチ５７は、ハウジング４に夫々植設されると共に回路基板（図示せず）に半田付け固定されるテール部を有する固定片５８（金属製）及び揺動片５９（金属製）から成り、自然状態では揺動片５９がそのバネ力によって固定片５８に接触する状態となって回路基板に接続された電源をオフとし、揺動片５９がスライダ２１の当接部２０によって押されて弾性変形して固定片５８から離間すると上記電源をオンとするものである。
【００３３】
端子７は、例えば厚さ０．２ｍｍ程度のリン青銅の如き導電材をプレス成形して製造され、ハウジング４の第１基部１３に設けられた端子溝６０に複数植設される。端子７は、第１基部１３の上面６１から突き出されていて挿入されたカード３の表面（接点）に圧接し得る接触部６２と、図示しない回路基板のランド部に半田付け実装されるテール部６３とを有する。なお、上面６１における第１基部１３の厚さは、例えば３．０ｍｍで、またそこに形成される端子溝６０の深さは２．０ｍｍであって、そこでの残存肉厚は１．０ｍｍとなっており、この端子溝６０の存在によってハウジング４の剛性が減じられることはない。
【００３４】
ハウジング４は、固定ピン６４によって上記回路基板に実装される。すなわち、ハウジング４の縦枠１１には、長手方向に間隔を隔てて圧入溝６５が形成されており、これら圧入溝６５には、金属製の固定ピン６４が上下を貫通して嵌入され、該固定ピン６４の下端が上記回路基板に形成されたスルーホールに嵌め込まれ、そのランド部（アース）にディッピングで固定される。
【００３５】
図１に示すように、第１及び第２カバー８、９は、例えば厚さ０．３ｍｍのアルミニウム板或いはステンレス板をプレス成形して製造され、その幅方向の断面形状は略コ字状となっている。第１カバー８は、ハウジング４の横枠１２と共同してカードの挿抜口５を形成する。第２カバー９は、ハウジング４の第１及び第２基部１３、１４を略覆うように形成され、端子７及びにプッシュ・プッシュ機構１０を保護すると共に、該カバー９と第１基部１３の上面６１との間に的確な間隔を保持し、挿入されたカード３を端子７の接触部６２に押圧・保持する役割を果たす。
【００３６】
図１に戻って、両カバー８、９には、固定ピン６４に圧接するように折り曲げられた折曲部６６が設けられている。これにより、両カバー８、９が固定ピン６４を介して回路基板に設けたランド部（アース）に導通され、アースされることになる。なお、両カバー８、９は、その側部に形成された窓部６７が縦枠１１に形成された凸部６８に係合され、又はカシメ部６９を縦枠１１にカシメることで、ハウジング４に固定されている。
【００３７】
次に、カード３の挿抜動作について説明する。
【００３８】
図１に示すように、カード３が排出された状態では、スライダ２１はリターンスプリング２３のバネ力によって挿抜口５側のストッパ５５に当接され、図２に示すように、ストッパレバー２４の被ガイド部４１がスライダ２１の第１スリット４９に位置し、同レバー２４のフック部５３がカード挿抜口５の脇に隠れ、カード３の挿入の邪魔にならないようになっている。このときスライダ２１に支承されている溝係合部材２２の溝係合部４８（図４）は、ハートカム溝９（図３）の往路２７における挿抜口側の位置Ａにある。
【００３９】
ここで、カード３を挿入して行くと、その先端が当接部２０に当たってスライダ２１は押込まれ、これに伴って溝係合部材２２の溝係合部４８が往路２７を前進し、位置Ｂを通過して位置Ｃに至ることになる。何故なら、位置Ｂの近傍において復路３３がそこに合流しているが、この復路３３との間には上がり段差３８があり、溝係合部４８は該段差３８が障害となって復路３３に進入できず、往路２７を直進せざるを得ないからである。
【００４０】
位置Ｃに至った溝係合部４８は、カード３が更に押し込まれることによるスライダ２１の前進に伴って、下り段差３５を落下し、更に進んで位置Ｄに達する。溝係合部４８が位置Ｄに至った直後、カード３の先端がハウジング４のカード挿入方向奥側に設けられたストッパ５６に当接し、カード３がそれ以上挿入できなくなる。その後、カード３の押し込みを止めると、リターンスプリング２３のバネ力でスライダ２１はカード３を塔載した状態で僅かに引き戻される。
【００４１】
このスライダ２１の動きによって溝係合部４８も位置Ｅまでバックするが、段差３５に阻止されて往路２７に戻ることはできず、復路３３側に設けられた下り段差３６を落下して位置Ｆに至る。この位置Ｆにおけるカム溝１９にはカード挿抜口側に三角形状（カム溝１９で縁取られたハート形状のランド３４の中央凹部）の壁７０が形成されているので、溝係合部４８はリターンスプリング２３のバネ力によって該壁７０に押付けられ、移動を止めることになる。即ち、溝係合部４８が位置Ｆにて動きを封じられることをもって、スライダ２１が図２の位置から挿入方向奥側の位置に保持され、カード３の装填が完了する。
【００４２】
こうして、カード３及びスライダ２１が挿入方向奥に保持される際、それ以前にはスライダ２１の第１スリット４９に係合していたストッパレバー２４の被ガイド部４１が、第１スリット４９から第２スリット５０を介して第３スリット５１への係合に切り替わり、ストッパレバー２４が支点部５４を中心として反時計方向に回動し、同レバー２４のフック部５３が挿入されたカード３の後端に対向・係合され、カード３の抜けが防止される。また、スライダ２１の当接部２０がスイッチ５７の揺動片５９を押圧した状態となるため、揺動片５９が固定片５８から離間され、電源がオンされる。
【００４３】
この状態からカード３を排出するには、今一度カード３を挿入方向に押し込む。すると、押し込みに伴ってスライダ２１も僅かに前進し、そこに支承されている溝係合部材２２の溝係合部４８も前進しようとするが、前記段差３６が障害となって往路２７側には入れず、下り段差３７を落下して復路３３側に進入し、位置Ｇに達する。溝係合部４８が位置Ｇに至ると、カード３の先端がストッパ５６に当接してそれ以上の前進はできなくなる。
【００４４】
そこで、カード３の押し込みを止めると、リターンスプリング２３のバネ力でスライダ２１はカード３を塔載した状態で排出方向に引き戻され、これに伴って溝係合部４８も復路３３を位置Ｈまでバックし、更に往路２７との合流点にある前記段差３８を落下し、往路２７に入り込んで前記始動時の位置Ａに戻る。そして、スライダ２１の当接部２０がスイッチ５７の揺動片５９から離間したとき、揺動片５９がそのバネ力によって固定片５８に接触し、電源がオフとなる。
【００４５】
また、カード排出動作の極く初期段階においてスライダ２１が後退されるのに伴い、スライダ２１の第３スリット５１に係合していたストッパレバー２４の被ガイド部４１が、第３スリット５１から第２スリット５０を介して第１スリット４９への係合に切り替わるため（図２）、ストッパレバー２４が支点部５４を中心として時計方向に回動し、同レバー２４のフック部５３がカード３の後端からカード３の排出の邪魔にならないように側方に離間する。よって、爾後、スライダ２１がリターンスプリング２３のバネ力によってカード排出方向に移動されることで、カード３が排出方向に移動される。
【００４６】
そして、溝係合部４８が位置Ａに戻った状態は、スライダ２１がカード挿抜口側のストッパ５５に当接してその動作を完了した状態であって、カード３は挿抜口５から適度に押し出された状態となっているので、容易に摘み出すことができる。
【００４７】
上述のようにスライダ２１の移動に伴って、スライダ２１に支承した溝係合部材２２の溝係合部４８がハートカム溝１９を時計回りに循環する際、溝係合部材２２を支承するスライダ２１の舌片３９は、その周囲を切り抜くことによって形成された片持ち梁状を呈しているので、それ自体がバネ機能を有しており、従って溝係合部４８を常時、カム溝１９の底に押し付ける作用を発揮できる。よって、溝係合部４８が前記各段差３５、３６、３７、３８に落下する際、或いはその準備としての同溝１９のスロープを登坂する際、的確にカム溝１９の底を辿ることができ、溝係合部４８の浮き上がりやカム溝１９からの逸脱などが生ずることはない。
【００４８】
以上説明したように本実施形態に係るカードコネクタ１にあっては、広く実用に供されているプッシュ・プッシュ機構１０を内蔵しており、且つその特徴の何ものをも阻害しないから、使い勝手の良い、スマートで装填・排出感に優れたコネクタとすることができる。
【００４９】
また、カードコネクタ１にあっては、プッシュ・プッシュ機構１０を構成するハートカム溝１９、溝係合部材２２、スライダ２１、リターンスプリング２３などを、ハウジング４の底部である第２基部１４に収め、ハウジング４内に収容されたカード３の投影面内に、略収まるように配置したので、コネクタ１の幅を増加させるようなことがなく、その小型化に寄与することができる。
【００５０】
そして、プッシュ・プッシュ機構１０の主要構成部材であるスライダ２１を極めて薄い金属板で形成してハウジング４に形成した第１凹部８０に収容し、またハートカム溝１９を同凹部８０内に形成した第２凹部２６の底面に形成し、加えてストッパレバー２４を該凹部８０よりさらに下がった第３凹部８１に収容し、またリターンスプリング２３をハウジング４に形成したスリット８２に収容したので、実質、ハウジング４の厚さを増すことなく同機構１０をカード３の投影面内に配置することができ、カードコネクタ１が厚くなるようなこともない。
【００５１】
因みに、第１基部１３は、端子溝６０を設けるため、前述の通り、例えば３．０ｍｍの厚さとしてあるのに対し、第２基部１４は、プッシュ・プッシュ機構１０を収めるため、０．３ｍｍのスライダ２１が収容される第１凹部８０の厚さ０．４ｍｍ、第２凹部２６の深さ０．７ｍｍ、カム溝１９の深さ０．３〜０．６ｍｍ、カム溝１９の底面厚さ（残存厚さ）０．４〜０．７ｍｍ、更にはスライダガイド４３の厚さ０．５ｍｍとし、これらの合計の２．６ｍｍを最低限確保する必要があるところ、これは第１基部１３の厚さを越えない。
【００５２】
加えて、スライダ２１には、その周囲を除去してなる片持ち梁状の舌片３９が設けられており、それ自体にバネ機能を付与せしめてあるので、特別なバネ部材を用意することなく、溝係合部材２２の溝係合部４８を常時カム溝１９の底に押し付けることができ、この点もコネクタの小型化に、更にはそのコストダウンに寄与する。
【００５３】
更に、スライダ２１に設けたガイド部４２（第１〜第３スリット４９〜５１）にストッパレバー２４の被ガイド部４１を係合させ、スライダ２１の移動に伴ってストッパレバー２４を回動させ、同レバー２４のフック部５３によって挿入されたカード３の抜け止めを行うようにしたので、該レバー２４の駆動ために特別な部材を用意する必要がない。すなわち、ガイド部４２（特に第１スリット４９）は、レバー２４の駆動機能と、スライダの２１のガイド機能とを兼用しているので、部品点数の増加が防止される。よって、カードコネクタ１の小型化・薄型化とコストダウンを推進できる。
【００５４】
なお、図示実施例のカードコネクタ１は、その端子７のレイアウトから所謂ＩＣカード用のコネクタに適用されたものであると理解されようが、同カードに最適ではあるものの、これ以外のカードへの応用を妨げるものではない。
【００５５】
また、本明細書中、各部の寸法を種々例示したが、本発明はこれにより何ら限定されるものではない。
【図面の簡単な説明】
【００５６】
【図１】本発明の好適実施形態に係るカードコネクタの全体斜視図である。
【図２】図１のカードコネクタからカバーを取り外した同斜視図である。
【図３】図２に現れるハートカム溝の拡大平面図である。
【図４】スライダ及びそれに支承される溝係合部材の側断面図である。
【符号の説明】
【００５７】
１  カードコネクタ
３  カード
４  ハウジング
５  挿抜口
６  収容部
８  第１カバー
９  第２カバー
１０  プッシュ・プッシュ機構
１９  ハートカム溝
２０  当接部
２１  スライダ
２２  溝係合部材
２４  ストッパレバー
２６  第２凹部
３９  舌片
５３  フック部
８０  第１凹部
８１  第３凹部
【図１】
2007200792.tif 000003
【図２】
2007200792.tif 000004
【図３】
2007200792.tif 000005
【図４】
2007200792.tif 000006